(57)【要約】【課題】携帯情報端末による画像撮像時に発生する手ぶれを抑制することで、鮮明な撮像画像が得られ、撮像画像の処理効率を向上させる方法を提供することを目的とする。【解決手段】  各部の制御などを行う処理部と操作者が情報端末に撮像を指示するための撮像指示入力部と撮像指示検出から撮像までの時間を遅延させるタイマー部と撮像を行う撮像部とを具備する情報端末であり、撮像指示を検出してから撮像を行うまで所定時間の遅延をさせることで撮像時に発生する撮像画像のぶれを抑制するものである。【選択図】図１
2005309562.tif 000002
【特許請求の範囲】
【請求項１】
撮像対象を撮像する撮像部と、前記撮像対象の撮像の開始を指示する撮像指示入力部と、前記撮像指示入力部による撮像開始の指示がされてから所定の時間経過後まで撮像を遅延させる遅延部とを備えた情報端末。
【請求項２】
撮像対象を撮像する撮像部と、押下することで前記撮像対象の撮像開始の指示状態となる撮像指示入力部と、前記撮像指示入力部が押下されてから所定の時間経過後まで撮像を遅延させる遅延部とを備えた情報端末。
【請求項３】
撮像対象を撮像する撮像部と、押下した後にその押下を解除することで前記撮像対象の撮像開始の指示状態となる撮像指示入力部と、前記撮像指示入力部の押下が解除されてから所定の時間経過後まで撮像を遅延させる遅延部とを備えた情報端末。
【請求項４】
撮像部で撮像した画像を記憶部に記憶する請求項１から３のいずれか１項に記載の情報端末。
【請求項５】
撮像部が駆動するまでの時間を報知する報知部を備えた請求項１から３のいずれか１項に記載の情報端末。
【請求項６】
撮像部が駆動する際に報知を行う報知部を備えた請求項１から３のいずれか１項に記載の情報端末。
【請求項７】
撮像対象は１次元コードや２次元コードなどの光学情報記録担体が設けられた文書である請求項１から６のいずれか１項に記載の情報端末。
【請求項８】
撮像部の駆動開始後、所定時間撮像を行い、焦点が合っている画像のみ記憶部に記憶する請求項１から７のいずれか１項に記載の情報端末。
【請求項９】
撮像部の駆動開始後、所定時間撮像を行い、焦点が合っている画像およびその前後の画像を記憶部に記憶する請求項１から７のいずれか１項に記載の情報端末。
【請求項１０】
記憶部に記憶されている画像を表示する表示部と、
前記表示部に表示されている画像を選択する選択部と、
前記選択部で選択された画像を消去する消去部とを備えた請求項１から９のいずれか１項に記載の情報端末。
【請求項１１】
時間情報を計時する計時部を備え、
時間情報を付して画像を記憶部に記憶し、
時間情報と画像を表示部に表示する請求項１０記載の情報端末。
【請求項１２】
焦点が合っている画像を記憶部に記憶した時点で撮像を停止する請求項８から１１のいずれか１項に記載の情報端末。
【請求項１３】
焦点が合っている画像を記憶部に記憶した時点でこのことを操作者に報知する請求項８から１２のいずれか１項に記載の情報端末。
【請求項１４】
焦点が合っている場合に報知を行う報知部を備え、この報知部により報知を行うことで操作者に撮像のタイミングを指示する請求項１から３のいずれか１項に記載の情報端末。
【請求項１５】
撮像部で撮像した光学的情報記録担体を解読する解読部を備え、前記光学的情報記録担体が正しく解読できた場合に焦点が合っているとして報知を行う請求項１４記載の情報端末。
【発明の詳細な説明】
【技術分野】
【０００１】
本発明は、例えば、１次元コードや２次元コード等を撮像して情報を読み取る撮像機能を有する情報端末に関するものである。
【背景技術】
【０００２】
ハンディーターミナル等の情報端末は、１次元コードや２次元コードを撮像して情報を読み取る撮像機能や、無線ＬＡＮやＢｌｕｅｔｏｏｔｈ等の無線機能を備えるなど、様々な機能が盛り込まれている。加えて、携帯性を向上させるために、小型化や軽量化が望まれている。
【０００３】
しかし、一般的に、小型カメラを搭載した小型化された機器による撮像において、機器が小型であり軽量であるが故に、撮像時に手ぶれが生じやすくなる。そして、これを解消する方法として、例えば、手走査型イメージ・スキャナにより画像を取込む場合に、乱れのない画像データを得るため、ぶれ検出装置と画像データ補正手段を備え、ぶれ検出装置からのぶれ検出信号に基づいて、ぶれの有無，方向および大きさを判定し、この判定結果に基づいて、入力画像データ補正装置により入力画像データを１ライン分ずつ左右にシフトすることにより画像の乱れを取り除くものが知れている（例えば特許文献１参照）。
【特許文献１】特開平５−３２８０２２号公報
【発明の開示】
【発明が解決しようとする課題】
【０００４】
しかしながら、上記従来の方法では、画像の乱れを取り除くために機器内にぶれ検出手段等を設ける必要があり、また、撮像した画像データを補正するための画像処理が必要となるなど、構造的にもソフトウェア処理的にも複雑なものとなってしまう。
【０００５】
そこで本発明は、上記課題に鑑み、小型カメラを搭載して撮像を行う場合に、撮像時に手ぶれを容易に抑制する携帯可能な情報端末を提供することを目的とする。
【課題を解決するための手段】
【０００６】
上記課題を解決するために、本発明の情報端末は、撮像対象を撮像する撮像部と、前記撮像対象の撮像の開始を指示する撮像指示入力部と、前記撮像指示入力部による撮像開始の指示がされてから所定の時間経過後まで撮像を遅延させる遅延部とを備えたものである。
【０００７】
また、本発明の情報端末は、撮像対象を撮像する撮像部と、押下することで前記撮像対象の撮像開始の指示状態となる撮像指示入力部と、前記撮像指示入力部が押下されてから所定の時間経過後まで撮像を遅延させる遅延部とを備えたものである。
【０００８】
また、本発明の情報端末は、撮像対象を撮像する撮像部と、押下した後にその押下を解除することで前記撮像対象の撮像開始の指示状態となる撮像指示入力部と、前記撮像指示入力部の押下が解除されてから所定の時間経過後まで撮像を遅延させる遅延部とを備えたものである。
【０００９】
また、本発明の情報端末は、撮像部で撮像した画像を記憶部に記憶するものである。
【００１０】
また、本発明の情報端末は、撮像部が駆動するまでの時間を報知する報知部を備えたものである。
【００１１】
また、本発明の情報端末は、撮像部が駆動する際に報知を行う報知部を備えたものである。
【００１２】
また、本発明の情報端末の撮像対象は、１次元コードや２次元コードなどの光学情報記録担体が設けられた文書としたものである。
【００１３】
また、本発明の情報端末は、撮像部の駆動開始後、所定時間撮像を行い、焦点が合っている画像のみ記憶部に記憶するものである。
【００１４】
また、本発明の情報端末は、撮像部の駆動開始後、所定時間撮像を行い、焦点が合っている画像およびその前後の画像を記憶部に記憶するものである。
【００１５】
また、本発明の情報端末は、記憶部に記憶されている画像を表示する表示部と、前記表示部に表示されている画像を選択する選択部と、前記選択部で選択された画像を消去する消去部とを備えたものである。
【００１６】
また、本発明の情報端末は、時間情報を計時する計時部を備え、時間情報を付して画像を記憶部に記憶し、時間情報と画像を表示部に表示するものである。
【００１７】
また、本発明の情報端末は、焦点が合っている画像を記憶部に記憶した時点で撮像を停止するものである。
【００１８】
また、本発明の情報端末は、焦点が合っている画像を記憶部に記憶した時点でこのことを操作者に報知するものである。
【００１９】
また、本発明の情報端末は、焦点が合っている場合に報知を行う報知部を備え、この報知部により報知を行うことで操作者に撮像のタイミングを指示するものである。
【００２０】
また、本発明の情報端末は、撮像部で撮像した光学的情報記録担体を解読する解読部を備え、前記光学的情報記録担体が正しく解読できた場合に焦点が合っているとして報知を行うものである。
【発明の効果】
【００２１】
以上のように、本発明は、情報端末において、撮像開始操作をしてから所定時間後に撮像を行うことにより、撮像時の手ぶれを抑制して撮像を行うことができる。
【発明を実施するための最良の形態】
【００２２】
以下、本発明の一実施の形態について、図１から図１３を用いて説明する。なお、図１は、２次元コードリーダ等の情報端末１０１の概略構成を示すブロック図であり、図２から図１３は、この情報端末１０１で行われる各処理を説明するためのフローチャートである。
【００２３】
図１において、１０１は情報端末であり、１０２は情報端末１０１内の各部の制御などを行う処理部で、この処理部１０２は具体的にはＣＰＵ等が用いられ、処理は、ＣＰＵ内に格納された各種プログラムを用いた演算により、主として後述するワークメモリ１１３中で実行される。１０３は操作者が情報端末１０１に対して撮像を指示するための撮像指示入力部で、具体的にはシャッターを意味する。また、１０４は撮像指示入力部１０３による撮像指示が行われてから撮像部１０５による撮像が行われるまでの時間を遅延させるために時間をカウントするためのタイマー部である。
【００２４】
また、１０５はＣＣＤカメラやＣＭＯＳセンサなどからなり２次元コード等の撮像を行うための撮像部、１０６は日付情報や時間情報を計時するための計時部、１０７は撮像した２次元コード等の画像を２値化しこの２値化データを用いて、２次元コード等が有する情報をデコードする解読部、１０８は操作者に報知を行うための報知部、１０９は撮像した画像等を保存するための記憶部、１１０は撮像した画像等を表示する表示部、１１１は表示部１１０に表示されている複数の情報から所望の情報を選択するための選択部、１１２は選択部１１１で選択された画像の消去を指示する消去部で、この選択部１１１、消去部１１２はキー入力等を用いる。
【００２５】
１１３は処理部１０２内に設けられており撮像部１０５で撮像した撮像画像の一時記憶や遅延時間などの設定値を記憶するためのワークメモリである。そして、このワークメモリ１１３には、撮像部１０５で撮像した撮像画像を一時的に保存する第１の画像一時記憶部１１４、第２の画像一時記憶部１１５、第３の画像一時記憶部１１６と、各種設定値を記憶する設定値一時記憶部１１７が設けられている。
【００２６】
以上のように構成された情報端末１０１について、図２に示すフローチャートを用いてその動作を用いて説明する。
【００２７】
処理部１０２は、予め格納された処理プログラムを実行することで以下の処理を実現する（以下図３乃至図１３に示すフローの実行について同じ）。具体的には、撮像指示入力部１０３からの撮像指示の有無を検出し（Ｓ２１）、撮像指示が有ることを検出すると、タイマー部１０４に時間のカウント開始命令を発し、撮像指示を検出してから撮像部１０５を駆動させるまでの時間を遅延させる処理（遅延処理）を開始する（Ｓ２２）。この遅延処理を開始した処理部１０２は、次に、タイマー部１０４による計時結果と、ワークメモリ１１３内の設定値一時記憶部１１７に予め記憶されている遅延設定時間とを比較し（Ｓ２３）、タイマー部１０４による計時結果が遅延設定時間を経過した場合には、処理部１０２は撮像部１０５を駆動させて撮像を開始し、撮像部１０５は、撮像した情報を処理部１０２に送り、処理部１０２がその情報をワークメモリ１１３に保存することで画像情報を取得する（Ｓ２４）。
【００２８】
このようにすることで、撮像指示入力部１０３により撮像を指示してから、撮像部１０５により撮像が行われるまでの時間を遅延させることができる。また、このような遅延を行う遅延部は、主に、処理部１０２とタイマー部１０４とワークメモリ１１３とからなる。
【００２９】
ここで、上記のように遅延させることによる効果を、例として、情報端末１０１が２次元コードリーダであり、操作者が２次元コードリーダを手に持って製品に設けられた２次元コードの情報の読み取る場合について説明する。
【００３０】
例えば、撮像指示入力部１０３としての押しボタンを２次元コードリーダに設け、この押しボタンを押下して２次元コードリーダから読み取り光を照射させ、その後、２次元コードリーダを２次元コードに近づけて２次元コードの情報を読み取らせる場合で、一般的に操作者が撮像対象である２次元コードに情報端末１０１である２次元コードリーダを近づけて読み取りを行う位置に保持しようとする際には、操作者の手による振動が発生するが、少し時間が経過するとこの振動は収束する。従って、本実施の形態の情報端末１０１のように、撮像指示入力部１０３への撮像指示入力から撮像部１０５に撮像までの時間を遅延させることで、情報端末１０１である２次元コードリーダを２次元コードに近づけた後、操作者の手による振動が収束した状態で撮像を開始することができるので、撮像時の手ぶれによる撮像画像の乱れを抑制することができる。
【００３１】
また、読み取りの別の形態として、２次元コードリーダを２次元コードに近づけて、その後、撮像指示入力部１０３としての押しボタンを押下して２次元コードの読み取りを開始させる場合に、押しボタンの押下時に手ぶれが生じることがあるが、押下により撮像指示を入力してから撮像部１０５による撮像を開始するまでの時間を遅延させることにより、押下したことによる手ぶれが収束した後に撮像部１０５による撮像を開始するので、撮像時の手ぶれによる撮像画像の乱れを抑制することができる。
【００３２】
また、押しボタンの押下により撮像指示を行う場合に換えて、撮像指示入力部１０３としての押しボタンの押下解除時に撮像指示を行うようにした場合でも、押下解除時に手ぶれが生じることがあるが、この場合においても、押下解除することで撮像指示を入力してから撮像部１０５による撮像を開始するまでの時間を遅延させることで、押下を解除したことによる手ぶれが収束した後に撮像部５による撮像を開始するので、撮像時の手ぶれによる撮像画像の乱れを抑制することができる。
【００３３】
さらに、情報端末１０１の構成として、以下に示す構成としてもよい。
【００３４】
まず、情報端末１０１が記憶部１０９を有する構成について説明する。
【００３５】
情報端末１０１が記憶部１０９を有する構成とし、図３のフローチャートに示すように、処理部１０２は撮像部１０５が撮像した撮像画像を撮像部１０５から取得し（Ｓ２４）、その後、この撮像画像を記憶部１０９に記憶する（Ｓ３１）ようにしてもよい。
【００３６】
このようにすることで、記憶部１０９に複数の撮像画像が記憶可能となり、記憶部１０９に記憶している撮像画像の一部もしくは全てをパソコンなどの外部機器に送るなどして撮像画像を確認することも可能となる。
【００３７】
次に、撮像指示が入力されてから所定時間が経過した場合に撮像を終了する構成について説明する。
【００３８】
また、図４のフローチャートに示すように、処理部１０２は、撮像指示入力部１０３からの撮像指示が入力されるとタイマー部１０４を駆動する。なお、このタイマー部１０４は、上記した遅延を行うための計時に加えて、撮像の状況に関わらず、撮像指示入力部１０３からの撮像指示が入力されてから所定時間後に強制的に撮像を終了させるための撮像時間を計時するものであり、その撮像時間（タイムアウト値）は、ワークメモリ１１３に記憶されている。例えば、この撮像時間が６０秒に設定されていれば、撮像の状態に関わらず、撮像指示入力部１０３からの撮像指示が入力されてから６０秒後に撮像部１０５による撮像を停止するものである。次に、撮像部１０５は、遅延時間経過後に撮像を開始し、処理部１０２は、前記撮像部１０５から撮像画像を取得（Ｓ２４）し、この撮像画像をワークメモリ１１３に一時的に保存する（Ｓ４２）。次に、処理部１０２は、前記撮像画像の焦点が合っているかどうかの判断を行う（Ｓ４３）。なお、この焦点が合っているかの否かの判断は、例えば、取得した画像における各ピクセルの隣あうピクセルとの変化量の総和がある設定されたしきい値より小さいときは焦点が合っていないと判断し、しきい値より大きいときは焦点が合っているというように判断する。そして、撮像画像の焦点が合っていれば、処理部１０２は、前記撮像時間の計時を終了（Ｓ４５）し、当該撮像画像を記憶部１０９に記憶する（Ｓ３１）。なお、撮像画像の焦点が合っていない場合は、処理部１０２は、タイマー部１０４の計時結果とワークメモリ１１３内の設定値一時記憶部１１７に記憶されている撮像時間との比較を行い、設定値一時記憶部１１７に保存されている撮像時間を経過していれば撮像を停止し、前記撮像時間を経過していなければ撮像画像の取得に戻る（Ｓ４４）。
【００３９】
以上のような構成および処理とすることで、焦点が合っている画像のみを記憶することができ、記憶部１０９の使用容量を少なくすることができる。
【００４０】
次に、ワークメモリ１１３内に複数の画像一時記憶部を設け、焦点が合った画像とその前後の画像を記憶部１０９に記憶する構成について説明する。なお、図４のフローチャートと同様の処理については同様の処理番号を付している。
【００４１】
図５のフローチャートに示すように、処理部１０２は、撮像指示入力部１０３からの撮像指示が入力されるとタイマー部１０４を駆動し、タイマー部１０４は、撮像時間の計時を開始する（Ｓ４１）。次に、撮像部１０５は、遅延時間経過後に撮像を開始し、処理部１０２は、前記撮像部１０５より撮像画像を取得し（Ｓ２４）、ワークメモリ１１３内の第２の画像一時記憶部に記憶されていた前回撮像した撮像画像を第１の画像一時記憶部１１４に移動し、前記今回撮像した撮像画像をワークメモリ１１３内の第２の画像一時記憶部１１５に保存する（Ｓ４２）。次に、処理部１０２は、前記第２の画像一時記憶部１１５に記憶されている撮像画像の焦点が合っているかどうかの判断を、例えば図４の説明時に記した方法で行い（Ｓ４３）、撮像画像の焦点が合っていれば、処理部１０２は、撮像時間の計時を終了（Ｓ４５）し、その後、撮像部１０５より撮像画像の取得を行い、この撮像画像をワークメモリ１１３内の第３の画像一時記憶部１１６に記憶し（Ｓ２４）、焦点が合っている撮像画像とその前後の撮像画像を含むワークメモリ１１３内の第１の画像一時記憶部１１４と第２の画像一時記憶部１１５と第３の画像一時記憶部１１６に記憶されている画像を記憶部１０９に記憶する（Ｓ３１）。
【００４２】
なお、Ｓ４３において焦点が合っていない場合は、撮像時間の確認を行い、ワークメモリ１１３内の設定値一時記憶部１１７に保存されている撮像指定時間を経過していれば撮像を停止し、前記撮像指定時間を経過していなければ撮像画像の取得に戻る（Ｓ４４）。
【００４３】
また、焦点が合った撮像画像の前後何枚の撮像画像をワークメモリ１１３内に記憶するかは、予めワークメモリ１１３内の設定値一時記憶部１１７に記憶されている。そして、図５のフローチャートは焦点が合った撮像画像の前後１枚の画像を記憶する処理を示しているが、複数枚を記憶する場合は、ワークメモリ１１３内に用意する画像一時記憶部の数を増やし、撮像画像取得（Ｓ２４）を複数回繰り返す必要がある。
【００４４】
また、バーコード等の撮像対象が湾曲している場合や、しわがある場合には、焦点があっている場合よりも少し前後にずれた場合の方が視認しやすいこともあることから、焦点があった画像とその前後の画像を取得することは有用であり、以上のような構成および処理とすることで、焦点が合っている画像と目視確認が容易であり焦点が合っている画像の前後の画像とを共に記憶することができる。
【００４５】
次に、情報端末１０１が日付情報や時間情報を計時する計時部１０６を備え、撮像画像に計時情報を付して記憶部１０９に記憶する場合について説明する。
【００４６】
情報端末１０１は、記憶部１０９と共に日付情報や時間情報を計時する計時部１０６を有する構成とし、図６のフローチャートに示すように、処理部１０２が撮像画像を記憶部１０９に記憶する際に計時部１０６から撮像時間を取得し（Ｓ６１）、撮像時間と撮像画像とを対応付けて記憶部１０９に記憶する（Ｓ３１）ようにしてもよい。このように撮像画像と撮像時間を関連付けて記憶することで、当該撮像画像を削除するなどの処理をする際に、誤って目的の画像以外の画像を処理する可能性を低減することができる。
【００４７】
また、図７のフローチャートに示すように、処理部１０２が撮像画像を記憶部１０９に記憶した（Ｓ３１）後、処理部１０２は撮像部１０５に撮像停止指示を出して撮像処理を停止（Ｓ７１）するようにしてもよいし、あるいは、情報端末１０１が報知部１０８を有する構成とし、図８のフローチャートに示すように、処理部１０２が取得画像を記憶部１０９に記憶（Ｓ３１）した時点で、処理部１０２は、前記報知部１０８により前記処理が完了したことを操作者に報知する（Ｓ８１）ようにしてもよい。なお、報知部１０８の例としては、ブザーやＬＥＤ（Ｌｉｇｈｔ Ｅｍｉｔｔｉｎｇ Ｄｉｏｄｅ）などが挙げられる。このようにすることで、焦点が合っている画像を記憶部１０９に記憶して撮像部１０５の撮像を停止した後に、処理部１０２は、例えば他の機器と通信を行う等次の処理を行うことができ、また、焦点が合っている画像を記憶したことを操作者に報知することで、操作者もまた、他の２次元コードを読み取る等次の作業に速やかに移行することができる。
【００４８】
また、情報端末１０１が報知部１０８を有する構成とし、図９のフローチャートに示すように、処理部１０２は、タイマー部１０４において遅延処理を開始（Ｓ２２）後、前記報知部１０８により操作者に遅延処理実行中である旨を例えばブザーを鳴動させるなどして報知（Ｓ９１）し、遅延処理終了後に前記報知を終了（Ｓ９２）するようにしてもよい。
【００４９】
あるいは、図１０のフローチャートに示すように、処理部１０２が遅延処理を終了した後に、前記報知部１０８により操作者に撮像を実行する旨を例えばブザーを鳴動させるなどして報知して（Ｓ１０１）もよいし、撮像が開始されるまでの時間を報知するようにしてもよい。
【００５０】
あるいは、図１１のフローチャートに示すように、処理部１０２は、前記撮像部１０５より撮像画像を取得（Ｓ２４）後、この撮像画像をワークメモリ１１３に記憶し（Ｓ４２）、撮像画像の焦点が合っているかの判断を行い（Ｓ４３）、撮像画像の焦点があっていた場合に前記報知部１０８より操作者に例えばブザーを鳴動させるなどして報知（Ｓ１１１）してもよい。
【００５１】
このように、処理部１０２での所定の処理のタイミングを操作者に報知することにより、撮像時に発生する撮像画像の手ぶれ等を軽減することができる。なお、ここで例示したブザーの鳴動をブザーの鳴動間隔や鳴動回数、音程などにより区別するようにしてもよいし、例えば、報知部１０８がＬＥＤであれば、ＬＥＤの色や点滅間隔、点滅回数などで区別するようにしてもよい。
【００５２】
また、焦点が合っているかどうかの判断を、上記したように隣り合うピクセルの変化量を用いて行ってもよいし、図１のブロック図に示すように、情報端末１０１に処理部１０２とは別に解読部１０７を設け、図１２のフローチャートに示すように、処理部１０２が撮像画像取得（Ｓ２４）後、解読部１０７が撮像画像の解読を行い（Ｓ１２１）、解読に成功した（Ｓ１２２）場合に処理部１０２が撮像画像は焦点が合っていると判断するようにしてもよい。
【００５３】
また、情報端末１０１が撮像画像を表示するための表示部１１０と、表示部１１０に表示した画像を選択する選択部１１１と、選択部１１１により選択した画像の消去の指示を行う消去部１１２を備えることにより、図１３のフローチャートに示すように、処理部１０２が撮像画像を記憶部１０９に記憶した（Ｓ３１）後、処理部１０２は、前記記憶部１０９で記憶された画像を表示部１１０に表示（Ｓ１３１）したり、表示部１１０に表示されている撮像画像から一つもしくは複数の画像を選択部１１１により選択（Ｓ１３２）したり、消去部１１２により消去指示を行うことにより前記選択部１１１で選択された画像を記憶部１０９から消去（Ｓ１３３）したりすることが可能となる。このように記憶部１０９に記憶されている撮像画像の表示や消去を行うことにより、記憶部１０９の容量を有効に使用することができ、また、撮像画像の検索が容易となる。
【００５４】
また、図１において、処理部１０２、タイマー部１０４、解読部１０７、選択部１１１、消去部１１２をそれぞれ独立の構成要素で表しているが、これらの構成要素の全て、あるいはいくつかを１つの構成要素の１機能として前記機能ブロックを構成してもよい。例えば、処理部１０２とタイマー部１０４を１つのＣＰＵ（Ｃｅｎｔｒａｌ Ｐｒｏｃｅｓｓｉｎｇ Ｕｎｉｔ）で構成してもよいし、処理部１０２とタイマー部１０４と解読部１０７を１つのＣＰＵで構成してもよい。
【００５５】
また、情報端末１０１の一例としては、２次元コードを撮像して読み取りを行う機能を有するハンディーターミナル等が挙げられる。
【００５６】
また、情報端末１０１の撮像対象としては、製品や文書などに設けられており光学的情報記録担体の一例である１次元コードや２次元コード等が挙げられる。
【００５７】
なお、本実施の形態は、１次元コードリーダや２次元コードリーダに限るものではなく、撮像機能を有する機器、特に、小型，軽量な撮像機器に適用することができる。
【産業上の利用可能性】
【００５８】
本発明の情報端末は、画像の撮像を行う際に生じる手ぶれを抑制することができ、撮像機能を有る小型の情報端末等に有用である。
【図面の簡単な説明】
【００５９】
【図１】本発明の情報端末の概略構成を示すブロック図
【図２】本発明の情報端末の処理を示すフローチャート
【図３】本発明の情報端末の画像保存に関する処理を示すフローチャート
【図４】本発明の情報端末の焦点が合っている画像の保存に関する処理を示すフローチャート
【図５】本発明の情報端末の焦点が合っている画像とその前後の画像の保存に関する処理を示すフローチャート
【図６】本発明の情報端末の計時情報取得に関する処理を示すフローチャート
【図７】本発明の情報端末の撮像停止に関する処理を示すフローチャート
【図８】本発明の情報端末の画像保存報知に関する処理を示すフローチャート
【図９】本発明の情報端末の遅延処理報知に関する処理を示すフローチャート
【図１０】本発明の情報端末の撮像確認報知に関する処理を示すフローチャート
【図１１】本発明の情報端末の焦点確認報知に関する処理を示すフローチャート
【図１２】本発明の情報端末の焦点確認方法に関する処理を示すフローチャート
【図１３】本発明の情報端末の撮像画像操作に関する処理を示すフローチャート
【符号の説明】
【００６０】
１０１  情報端末
１０２  処理部
１０３  撮像指示入力部
１０４  タイマー部
１０５  撮像部
１０６  計時部
１０７  解読部
１０８  報知部
１０９  記憶部
１１０  表示部
１１１  選択部
１１２  消去部
１１３  ワークメモリ
１１４  第１の画像一時記憶部
１１５  第２の画像一時記憶部
１１６  第３の画像一時記憶部
１１７  設定値一時記憶部
【図１】
2005309562.tif 000003
【図２】
2005309562.tif 000004
【図３】
2005309562.tif 000005
【図４】
2005309562.tif 000006
【図５】
2005309562.tif 000007
【図６】
2005309562.tif 000008
【図７】
2005309562.tif 000009
【図８】
2005309562.tif 000010
【図９】
2005309562.tif 000011
【図１０】
2005309562.tif 000012
【図１１】
2005309562.tif 000013
【図１２】
2005309562.tif 000014
【図１３】
2005309562.tif 000015